(57)【要約】【課題】薄型の装置に対応するため２つの対物レンズに入射する光路を一方向とした光ピックアップにおいて、光ディスクの半径方向に並べた２つの対物レンズの間隔を狭くする。【解決手段】異なる種類の光ディスクに対応した２つの光源１，９と、各光源１，９に対応され光軸方向に移動可能なレンズホルダ１７に取り付けられた２つのコリメータレンズ３，１１と、各光源１，９に対応された２つの対物レンズ５，１３と、各対物レンズ５，１３を搭載したアクチュエータとを備え、レンズホルダ１７は、光軸方向の位置に応じて光軸と直交する方向の位置が少なくとも２種類の異なる位置に規制され、それぞれの位置において一の光源とこの光源に対応する対物レンズとを結ぶ光軸に一の光源に対応する一のコリメータレンズの光軸中心を一致させるとともに他の光源に対応する他のコリメータレンズの光軸中心を他の光源とこの光源に対応する対物レンズとを結ぶ光軸より離す。【選択図】図１
2010192032.tif 000002
【特許請求の範囲】
【請求項１】
第１の光源と、
前記第１の光源とは波長が異なる第２の光源と、
前記第１の光源から射出された光を略平行光に変換する第１のコリメータレンズと、
前記第２の光源から射出された光を略平行光に変換する第２のコリメータレンズと、
前記第１のコリメータレンズ及び前記第２のコリメータレンズを光軸方向に移動可能に一体に取り付けたレンズホルダと、
前記第１のコリメータレンズを透過した光を集光する第１の対物レンズと、
前記第２のコリメータレンズを透過した光を集光する第２の対物レンズと
を備え、
前記レンズホルダは、光軸方向の位置に応じて、光軸と直交する方向の位置が、少なくとも第１の位置及び第２の位置に規制され、前記第１の位置において、前記第１の光源と前記第１の対物レンズとを結ぶ光軸上に、前記第１のコリメータレンズの光軸中心を一致させるとともに、前記第２のコリメータレンズの光軸中心を、前記第２の光源と前記第２の対物レンズとを結ぶ光軸上から離し、前記第２の位置において、前記第２の光源と前記第２の対物レンズとを結ぶ光軸上に、前記第２のコリメータレンズの光軸中心を一致させるとともに、前記第１のコリメータレンズの光軸中心を、前記第１の光源と前記第１の対物レンズとを結ぶ光軸上から離す
ことを特徴とする光ピックアップ。
【請求項２】
前記第２の対物レンズは、前記第１または前記第２の対物レンズにより記録または再生する光ディスクに対して前記第１の対物レンズより内周側に位置するとき、前記第１の位置において、前記第２のコリメータレンズの光軸中心を、前記第２の光源と前記第２の対物レンズとを結ぶ光軸上から前記光ディスクに対して内周側へ離し、前記第２の位置において、前記第１のコリメータレンズの光軸中心を、前記第１の光源と前記第１の対物レンズとを結ぶ光軸上から前記光ディスクに対して外周側へ離す
ことを特徴とする請求項１記載の光ピックアップ。
【発明の詳細な説明】
【技術分野】
【０００１】
本発明は、複数の種類の光ディスクに対応するために、２つの対物レンズ及びコリメータレンズを有する光ピックアップに関する。
【背景技術】
【０００２】
従来、ＢＤ（Blu-ray Disc）、ＤＶＤ（Degital Vastile Disc）、ＣＤ（Compact Disc）といった規格の異なる光ディスクに対応するための光ピックアップが提案されている。このような光ピックアップは、２つの対物レンズを一つのアクチュエータに搭載することにより、それぞれの光ディスクに対応する構成となっている。
【０００３】
また、１つの対物レンズの表面に回折構造を形成し、光源の波長の違いを利用することによって、「ＤＶＤ」及び「ＣＤ」の光ディスクの２つの規格に対応することが可能である。更に、「ＢＤ」を含めて３種類の光ディスクに対応するには、対物レンズとは別の光学素子を用いる構成が提案されている。
【０００４】
しかしながら、対物レンズとは別の光学素子を用いる場合には、これら対物レンズと光学素子とを一体的に調整して組み立てる必要があるため、光ピックアップの厚みが大きくなってしまうという問題がある。
【０００５】
そのため、「ＢＤ」用の対物レンズと、「ＤＶＤ」及び「ＣＤ」用の対物レンズとを並列に配置し、それぞれを独立した光学系として構成した光ピックアップが提案されている。
【０００６】
対物レンズを並列させる方向としては、光ディスクの半径方向に２つの対物レンズを並べる構成と、特許文献１に記載されているように、記録トラックの略接線方向に対物レンズを並べる構成とが提案されている。
【０００７】
光ディスクの半径方向に２つの対物レンズを並べた構成の場合には、光ピックアップが光ディスクの半径方向に移動したときにも、各対物レンズから見た記録トラックの接線方向が変化しないので、トラッキングエラー信号の検出方式として、いわゆる「３ビーム法」や「差動プッシュプル法」を用いることができる。
【０００８】
図４は、従来の光ピックアップにおける光学系であって、対物レンズを光ディスクの半径方向に２つ配置した構成を示す平面図である。
【０００９】
従来の光ピックアップにおいては、図４に示すように、「ＢＤ」用の光源である半導体レーザ１０１から射出された光は、往路と復路を分けるプリズム１０２を透過し、コリメータレンズ１０３により、略平行な光束に変換される。ここで、コリメータレンズ１０３は、光ディスク１０６の厚さ誤差により発生する球面収差を補正するために、光軸方向に移動可能になっている。コリメータレンズ１０３を経た光は、ミラー１０４により光路を変換され、対物レンズ１０５によってＢＤ１０６Ａの信号記録面に集光される。  ＢＤ１０６Ａで反射された光は、往路と反対の光路を通り、プリズム１０２によって反射され、トラッキングエラー信号及びフォーカスエラー信号検出用のレンズ１０７を経て、フォトディテクタ１０８に入射する。フォトディテクタ１０８に入射した光を検出することにより、ＢＤ１０６Ａの信号記録面に記録またはＢＤ１０６Ａの信号記録面を再生するとともに、対物レンズ１０５をＢＤ１０６Ａに追従させるフォーカスサーボ及びトラッキングサーボを実行することができる。
【００１０】
また、「ＤＶＤ」及び「ＣＤ」用の光源である半導体レーザ１０９から射出された光は、往路と復路を分割するプリズム１１０を透過して、「ＤＶＤ」及び「ＣＤ」用のコリメータレンズ１１１で略平行の光束に変換される。コリメータレンズ１１１で略平行になった光は、ミラー１１２により光路を変換されて、対物レンズ１１３により、ＤＶＤ１０６ＢまたはＣＤ１０６Ｃの信号記録面に集光される。
【００１１】
ＤＶＤ１０６ＢまたはＣＤ１０６Ｃにより反射された光は、往路と反対の光路を通り、プリズム１１０で反射され、トラッキングエラー信号及びフォーカスエラー信号検出用のレンズ１１４を通り、フォトディテクタ１１５に入射する。これにより「ＢＤ」の場合と同様に、ＤＶＤ１０６ＢまたはＣＤ１０６Ｃの信号記録面に記録またはＤＶＤ１０６ＢまたはＣＤ１０６Ｃの信号記録面を再生すると共に、対物レンズ１０５をＤＶＤ１０６ＢまたはＣＤ１０６Ｃに追従させるフォーカスサーボ及びトラッキングサーボが実行される。
【００１２】
なお、記録トラックの略接線方向に対物レンズを並べた場合には、光ピックアップが光ディスクの半径方向の移動したときに、一方の対物レンズは記録トラックの接線方向が変化しない位置に配置できるが、他方の対物レンズの位置では、光ピックアップの移動により記録トラックの接線方向の角度が変化する。したがって、トラッキングエラー信号の検出方式として、「３ビーム法」や「差動プッシュプル法」を用いることができない。そのため、特許文献２に記載されているように、１ビームの検出光をホログラムにより分割し、レンズシフトによるエラー信号のオフセットをキャンセルする新しい検出方法が提案されている。
【先行技術文献】
【特許文献】
【００１３】
【特許文献１】特開２００５−２９３６８６号公報
【特許文献２】特開２００６−１２０３０６号公報
【発明の概要】
【発明が解決しようとする課題】
【００１４】
ところで、図４に示すように２つの対物レンズを光ディスクの半径方向に並べて配置した光ピックアップにおいて、「ＢＤ」用のプリズム１０２からミラー１０４までの光路と「ＤＶＤ」及び「ＣＤ」用のプリズム１１０からミラー１１２までの光路は、平行に配置されている。この光ピックアップにおいて、「ＢＤ」用のコリメータレンズ１０３の外径は、、「ＢＤ」用の対物レンズ１０５の有効光束径に、対物レンズ１０５がトラッキング方向にシフトした場合の余裕を加味した大きさを必要とする。また、「ＤＶＤ」及び「ＣＤ」用のコリメータレンズ１１１の外径は、「ＤＶＤ」及び「ＣＤ」用の対物レンズ１１１の有効光束径に、対物レンズ１１２がトラッキング方向にシフトした場合の余裕を加味した大きさを必要とする。すなわち、対物レンズ１０５，１１３の外径に比べて、コリメータレンズ１０３，１１１の外径は大きいことが必要である。
【００１５】
対物レンズ１０５，１１３のシフト量は、片側０．３ｍｍから０．４ｍｍ程度確保するのが一般的である。これは、光ディスク１０６の偏芯に追従するのに加えて、光ピックアップが光ディスク１０６の半径方向に移動する際に、慣性によりアクチュエータの可動部が移動しても、サーボが不安定にならないために必要な値である。
【００１６】
また、「ＢＤ」用のコリメータレンズ１０３は、光ディスク１０６の厚さ誤差による収差を補正するために光軸方向に移動可能にする必要がある。したがって、コリメータレンズ１０３を移動可能に保持する構造が必要となる。
【００１７】
これらの制約により、２つの対物レンズ１０５，１１３に対応する光学系を平行に配置すると、「ＢＤ」用と「ＤＶＤ」及び「ＣＤ」用の２つの光路の間隔は、コリメータレンズ１０３，１１１の外径と保持機構により決まってしまい、２つの対物レンズ１０５，１１３の間隔を近づけることが困難である。
【００１８】
また、この光ピックアップにおいては、各対物レンズ１０５，１１３が、対応する光ディスク１０６の最内周から最外周まで移動することが必要である。光ディスク１０６の中心からみて対物レンズ１１２より外側にある対物レンズ１０５についても、光ディスク１０６の最内周まで移動できる必要があり、このとき、内側の対物レンズ１１３は、さらに光ディスク１０６の中心に近い位置となってしまう。光ディスク１０６の中心には、光ディスク１０６を回転させるこめのスピンドルモータがあり、このスピンドルモータと光ピックアップとの干渉を避けなくてはならない。
【００１９】
しかし、内側の対物レンズ１１３の位置は、使用する２つの対物レンズ１０５，１１３の外径と、外側の対物レンズ１０５が対応する光ディスク１０６の最内周の位置により決まり、また、スピンドルモータは、光ディスク１０６を回転させるために必要なトルクを発生させる磁気回路の大きさにより、外形と高さがほぼ決まってしまう。そのため、スピンドルモータと光ピックアップとの干渉を避けることが困難となる。
【００２０】
ここで、２つの光学系を異なる方向に配置することも考えられる。しかしながら、光ピックアップを含む光ディスク装置全体の厚さを薄くするためには、アクチュエータと光学系とが厚さ方向に重ならない構成にする必要があり、対物レンズ１０５，１１３に入射する光路の方向が一方向に制限されてしまう。
【００２１】
そこで、本発明は、前述の実情に鑑みて提案されるものであって、薄型の光ディスク装置に対応するために２つの対物レンズに入射する光路の方向を一方向とした光ピックアップであって、光ディスクの半径方向（ラジアル方向）に並べた２つの対物レンズの間隔を狭くすることができる光ピックアップを提供することを目的とする。
【課題を解決するための手段】
【００２２】
前述の課題を解決し、前記目的を達成するため、本発明に係る光ピックアップは、以下の構成を有するものである。
【００２３】
〔構成１〕
第１の光源と、第１の光源とは波長が異なる第２の光源と、第１の光源から射出された光を略平行光に変換する第１のコリメータレンズと、第２の光源から射出された光を略平行光に変換する第２のコリメータレンズと、第１のコリメータレンズ及び第２のコリメータレンズを光軸方向に移動可能に一体に取り付けたレンズホルダと、第１のコリメータレンズを透過した光を集光する第１の対物レンズと、第２のコリメータレンズを透過した光を集光する第２の対物レンズとを備え、レンズホルダは、光軸方向の位置に応じて、光軸と直交する方向の位置が、少なくとも第１の位置及び第２の位置に規制され、第１の位置において、第１の光源と第１の対物レンズとを結ぶ光軸上に、第１のコリメータレンズの光軸中心を一致させるとともに、第２のコリメータレンズの光軸中心を、第２の光源と第２の対物レンズとを結ぶ光軸上から離し、第２の位置において、第２の光源と第２の対物レンズとを結ぶ光軸上に、第２のコリメータレンズの光軸中心を一致させるとともに、第１のコリメータレンズの光軸中心を、第１の光源と第１の対物レンズとを結ぶ光軸上から離すことを特徴とするものである。
【００２４】
〔構成２〕
構成１を有する光ピックアップにおいて、第２の対物レンズは、第１または第２の対物レンズにより記録または再生する光ディスクに対して第１の対物レンズより内周側に位置するとき、第１の位置において、第２のコリメータレンズの光軸中心を、第２の光源と第２の対物レンズとを結ぶ光軸上から光ディスクに対して内周側へ離し、第２の位置において、第１のコリメータレンズの光軸中心を、第１の光源と第１の対物レンズとを結ぶ光軸上から光ディスクに対して外周側へ離すことを特徴とするものである。
【発明の効果】
【００２５】
本発明に係る光ピックアップにおいては、構成１を有することにより、レンズホルダは、光軸方向の位置に応じて光軸と直交する方向の位置が少なくとも第１の位置及び第２の位置に規制され、第１の位置において第１の光源と第１の対物レンズとを結ぶ光軸上に第１のコリメータレンズの光軸中心を一致させるとともに、第２のコリメータレンズの光軸中心を第２の光源と第２の対物レンズとを結ぶ光軸上から離し、第２の位置において第２の光源と第２の対物レンズとを結ぶ光軸上に第２のコリメータレンズの光軸中心を一致させるとともに、第１のコリメータレンズの光軸中心を第１の光源と第１の対物レンズとを結ぶ光軸上から離すので、これら２つのコリメータレンズに対応した２つの光路間の間隔及び２つの対物レンズの中心間の間隔を、２つのコリメータレンズの中心間の間隔よりも狭くすることができる。また、この光ピックアップにおいては、２つの対物レンズが一つのアクチュエータに搭載されているため、２つの対物レンズを接近させて配置することが可能となり、アクチュエータ及び光ピックアップ全体を薄型化、小型化することが可能である。
【００２６】
また、本発明に係る光ピックアップにおいては、構成２を有することにより、第２の対物レンズは、第１または第２の対物レンズにより記録または再生する光ディスクに対して第１の対物レンズより内周側に位置するとき、第１の位置において、第２のコリメータレンズの光軸中心を第２の光源と第２の対物レンズとを結ぶ光軸上から光ディスクに対して内周側へ離し、第２の位置において、第１のコリメータレンズの光軸中心を第１の光源と第１の対物レンズとを結ぶ光軸上から光ディスクに対して外周側へ離すので、
したがって、この光ピックアップは、光ディスクの最内周に移動された場合も、スピンドルモータとの間隔を十分に確保できる。そのため、駆動トルクを十分に確保しつつ薄型化したために外径が大きくなっているスピンドルモータが使用可能となる。
【００２７】
すなわち、本発明は、薄型の装置に対応するために２つの対物レンズに入射する光路の方向を一方向とした光ピックアップであって、光ディスクの半径方向（ラジアル方向）に並べた２つの対物レンズの間隔を狭くすることができる光ピックアップを提供することができるものである。
【図面の簡単な説明】
【００２８】
【図１】本発明に係る光ピックアップの構成を示す平面図である。
【図２】本発明の実施例を示す構成図である。
【図３】本発明の実施例を示す構成図である。
【図４】従来の光ピックアップにおける光学系であって、対物レンズを光ディスクの半径方向に２つ配置した構成を示す平面図である。
【発明を実施するための形態】
【００２９】
以下、本発明を実施するための形態について、図面を参照して説明する。
【００３０】
図１（ａ）は、本発明に係る「ＢＤ」を記録または再生する場合（初期状態）の光ピックアップの構成を示す平面図である。図１（ｂ）は、本発明に係る「ＤＶＤ」または「ＣＤ」を記録または再生する場合の光ピックアップの構成を示す平面図である。図１（ａ）と（ｂ）は、レンズホルダ１７の光軸方向に対する位置が異なる。
【００３１】
本発明に係る光ピックアップにおいては、「ＢＤ」用の光源である半導体レーザ１から射出された波長４０５ｎｍの光は、往路と復路を分けるプリズム２を透過し、コリメータレンズ３で略平行な光束に変換される。コリメータレンズ３は、図１（ａ）に示すように位置Ｐ３にある。コリメータレンズ３により略平行とされた光は、ミラー４により光路を変換され、対物レンズ５によって、ＢＤ６Ａの信号記録面に集光される。
【００３２】
ＢＤ６Ａで反射された光は、往路と反対の光路を通り、プリズム２によって反射されて、フォーカスエラー信号及びトラッキングエラー信号検出用のレンズ７を通り、フォトディテクタ８に入射する。フォトディテクタ８に入射する光を検出することにより、ＢＤ６Ａの信号記録面に記録またはＢＤ６Ａの信号記録面を再生するとともに、対物レンズ５をＢＤ６Ａに追従させるフォーカスサーボ及びトラッキングサーボが実行される。
【００３３】
また、「ＤＶＤ」及び「ＣＤ」用の光源である半導体レーザ９から射出された波長６５０ｎｍまたは７８０ｎｍの光は、往路と復路を分割するプリズム１０を透過して、「ＤＶＤ」及び「ＣＤ」用のコリメータレンズ１１で略平行の光束に変換される。コリメータレンズ１１は、図１（ｂ）に示すように位置Ｐ４にある。この実施の形態においては、半導体レーザ９は、「ＤＶＤ」用及び「ＣＤ」用の２つの光源を一つのパッケージにしたいわゆる二波長ＬＤを用いているが、別々の光源を用いてもよい。
【００３４】
コリメータレンズ１１により略平行とされた光は、ミラー１２により光路を変換され、対物レンズ１３により、ＤＶＤ６ＢまたはＣＤ６Ｃの信号記録面に集光される。ＤＶＤ６ＢまたはＣＤ６Ｃにより反射された光は、往路と反対の光路を通り、プリズム１０により反射され、フォーカスエラー信号及びトラッキングエラー信号検出用のレンズ１４を経て、フォトディテクタ１５に入射する。これにより「ＢＤ」と同様に、ＤＶＤ６ＢまたはＣＤ６Ｃの信号記録面に記録またはＤＶＤ６ＢまたはＣＤ６Ｃを再生するとともに、対物レンズ１３をＤＶＤ６ＢまたはＣＤ６Ｃに追従させるフォーカスサーボ及びトラッキングサーボが実行される。
【００３５】
この光ピックアップにおいて、「ＢＤ」用のプリズム２からミラー４までの光路と、「ＤＶＤ」及び「ＣＤ」用のプリズム１０からミラー１２までの光路は、平行に配置されている。
【００３６】
「ＢＤ」用のコリメータレンズ３の外径は、「ＢＤ」用の対物レンズ５の有効光束径に、対物レンズ５がトラッキング方向にシフトした場合の余裕を加味した大きさを必要とする。また、「ＤＶＤ」及び「ＣＤ」用のコリメータレンズ１１の外径は、「ＤＶＤ」及び「ＣＤ」用の対物レンズ１３の有効光束径に、対物レンズ１３がトラッキング方向にシフトした場合の余裕を加味した大きさを必要とする。各対物レンズ５，１３のトラッキング方向のシフト量は、片側で０．３ｍｍから０．４ｍｍ程度を確保するのが一般的である。これは、光ディスク６の偏芯に追従することに加え、光ピックアップが光ディスク６の半径方向に移動する際に、慣性によりアクチュエータの可動部が移動してもサーボが不安定にならないために必要な値である。
【００３７】
この光ピックアップにおいて、「ＢＤ」用のコリメータレンズ３と、「ＤＶＤ」及び「ＣＤ」用のコリメータレンズ１１とは、光軸方向に移動可能なレンズホルダ１７に一体的に取り付けられている。コリメータレンズ３，１１を一体に取り付けたレンズホルダ１７は、光軸方向に移動操作可能となっている。レンズホルダ１７を移動操作する機構としては、ステッピングモータ２０などが使用される。レンズホルダ１７を移動操作してコリメータレンズ３を光軸方向に移動させることにより、ＢＤ６Ａをはじめとする光ディスク６の厚み誤差や温度誤差等により発生する球面収差を補正することができる。
【００３８】
また、レンズホルダ１７は、ステッピングモータ２０によって移動する際、常に直線状に移動するものではない。このレンズホルダ１７の位置により、「ＢＤ」用のコリメータレンズ３の光軸中心が「ＢＤ」用の半導体レーザ１と対物レンズ５とを結ぶ光軸上に一致する範囲と、「ＤＶＤ」及び「ＣＤ」用のコリメータレンズ１１の光軸中心が「ＤＶＤ」及び「ＣＤ」用の半導体レーザ９と対物レンズ１３とを結ぶ光軸上に一致する範囲とがある。
【００３９】
例えば、レンズホルダ１７の初期状態における位置は、位置Ｐ１と位置Ｐ２の中間位置Ｐ３にある。そして、レンズホルダ１７が位置Ｐ３にあるとき、「ＢＤ」用の半導体レーザ１から射出した光はコリメータレンズ３により略平行な光とされる。また、ＢＤ６Ａに対する記録または再生を行う場合には、レンズホルダ１７に取り付けられたコリメータレンズ３は、図２に示す位置Ｐ１乃至位置Ｐ２の範囲で移動され、この範囲内で、光ディスク６の厚み誤差により発生する球面収差の補正が可能となっている。このとき、「ＢＤ」用のコリメータレンズ３の光軸中心が「ＢＤ」用の半導体レーザ１と対物レンズ５とを結ぶ光軸上に一致しており、一方、「ＤＶＤ」及び「ＣＤ」用のコリメータレンズ１１の光軸中心は、「ＤＶＤ」及び「ＣＤ」用の半導体レーザ９と対物レンズ１３とを結ぶ光軸より、光ディスク６の内周側にずれている。
【００４０】
また、ＤＶＤ６ＢまたはＣＤ６Ｃに対する記録、再生を行う場合には、コリメータレンズ１１は、「ＢＤ」用の初期状態における位置Ｐ３から位置Ｐ４へ移動される。このとき、「ＤＶＤ」及び「ＣＤ」用のコリメータレンズ１１の光軸中心が「ＤＶＤ」及び「ＣＤ」用の半導体レーザ９と対物レンズ１３とを結ぶ光軸上に一致しており、一方、「ＢＤ」用のコリメータレンズ３の光軸中心は、「ＢＤ」の半導体レーザ１と対物レンズ５とを結ぶ光軸に対して、光ディスク６の外周側にずれている。
【００４１】
このように、この光ピックアップにおいては、「ＢＤ」用のコリメータレンズ３と、「ＤＶＤ」及び「ＣＤ」用のコリメータレンズ１１とを一体的にレンズホルダ１７に搭載し、このレンズホルダ１７の位置を移動させることにより、２つのコリメータレンズ３，１１の間隔よりも、２つの対物レンズ５，１３の間隔を狭くすることが可能となっている。特に、ＢＤ６Ａに対する記録または再生を行う場合には、「ＤＶＤ」及び「ＣＤ」用のコリメータレンズ１１の光軸中心を「ＤＶＤ」及び「ＣＤ」用の半導体レーザ９と対物レンズ１３とを結ぶ光軸より、光ディスク６の内周側へ離し、またＤＶＤ６ＢまたはＣＤ６Ｃに対する記録または再生を行う場合には、「ＢＤ」用のコリメータレンズ１１の光軸中心を、「ＢＤ」用の半導体レーザ９と対物レンズ１３とを結ぶ光軸より、光ディスク６の外周側に離すことで、２つの対物レンズ５，１３の間隔をより狭くすることができる。そして、２つの対物レンズ５，１３の間隔を狭くすることにより、光ピックアップが光ディスク６の最内周から最外周に移動する必要距離を小さくすることができる。光ディスク６の最内周に光ピックアップを移動した場合に、図示しないスピンドルモータと内側の対物レンズ１３との隙間を十分に確保することができるので、薄型の光ディスク装置においても、各対物レンズ５，１３を光ディスク６の半径方向（ラジアル方向）に並べて配置することが可能となる。
【実施例１】
【００４２】
図２は、本発明に係る光ピックアップにおけるコリメータレンズの移動機構の構成を示す斜視図である。
【００４３】
本発明に係る光ピックアップにおいて、コリメータレンズ３，１１を移動操作する機構においては、図２に示すように、「ＢＤ」用のコリメータレンズ３と「ＤＶＤ」及び「ＣＤ」用のコリメータレンズ１１とが取り付けられたレンズホルダ１７は、筐体に設けられた２本のシャフト１９ａ、１９ｂにより高さ方向の位置を規制されて配置されている。このレンズホルダ１７は、ステッピングモータ２０によって、光軸方向に移動させることが可能となっている。レンズホルダ１７とステッピングモータ２０の駆動軸とは、結合部２２により結合されており、ステッピングモータ２０の駆動力がレンズホルダ１７に伝達される。結合部２２は、バネ等の弾性のある部材により構成され、ステッピングモータ２０の駆動力の案内溝の一辺に常にボスが接触するようになっており、光軸方向に移動する際のがたつきが発生しないようになっている。
【００４４】
図３は、本発明に係る光ピックアップにおけるコリメータレンズの移動機構の構成を示す平面図及び正面図である。
【００４５】
レンズホルダ１７には、図３に示すように、光軸と直交する方向に位置を規制するためのボス２１ａが設けられている。このボス２１ａは、筐体に設けられた案内溝２１ｂに挿入されており、レンズホルダ１７の光軸に直交する方向の位置を規制する。
【００４６】
ＢＤ６Ａに対する記録または再生を行う場合には、レンズホルダ１７は、位置Ｐ１乃至位置Ｐ２の範囲を光軸方向に移動する。この位置では、「ＢＤ」用のコリメータレンズ３の光軸中心が「ＢＤ」用の半導体レーザ１と対物レンズ５とを結ぶ光軸上に一致する。また、このとき、光ディスクの厚さ誤差や温度誤差等で発生する球面収差を補正することができる。
【００４７】
ＤＶＤ６ＢまたはＣＤ６Ｃに対する記録または再生を行う場合には、レンズホルダ１７を位置Ｐ４の位置まで移動させる。このとき、「ＤＶＤ」及び「ＣＤ」用のコリメータレンズ１１の光軸中心が「ＤＶＤ」及び「ＣＤ」用の半導体レーザ９と対物レンズ１３とを結ぶ光軸上に一致する。
【００４８】
なお、この実施例においては、レンズホルダ１７の移動機構としてステッピングモータ２０を用いたものを示しているが、移動機構はこれに限られず、例えば、ＤＣモータやピエゾ素子など、種々の移動手段を用いることができる。また、レンズホルダ１７の位置決め機構として、ボス及び案内溝を用いた例を示しているが、その他の機構、例えば、レンズホルダ１７の側面によって位置規制する機構としてもよい。
【産業上の利用可能性】
【００４９】
本発明は、複数の種類の光ディスクに対応するために、２つの対物レンズ及びコリメータレンズを有する光ピックアップに適用される。
【符号の説明】
【００５０】
１  「ＢＤ」用半導体レーザ
３  「ＢＤ」用コリメータレンズ
５  「ＢＤ」用対物レンズ
６  光ディスク
９  「ＤＶＤ」及び「ＣＤ」用半導体レーザ
１１  「ＤＶＤ」及び「ＣＤ」用コリメータレンズ
１３  「ＤＶＤ」及び「ＣＤ」用対物レンズ
１７  レンズホルダ
【図１】
2010192032.tif 000003
【図２】
2010192032.tif 000004
【図３】
2010192032.tif 000005
【図４】
2010192032.tif 000006